(57)【要約】【課題】毛髪にマイナスイオンを効率良く付着させることが可能なヘアーアイロンを提供する。【解決手段】このヘアーアイロン１は、略六角柱状の把持部２と、把持部２の先端に連設されて発熱可能な周面部３１を含む略円柱状の巻付胴部３と、把持部２に設けられて巻付胴部３の周面部３１に対して接離する押さえ板４とを備えており、巻付胴部３の周面部３１と押さえ板４とにより毛髪を挟持して毛髪にカール状の癖付けを行うように構成されている。また、ヘアーアイロン１は、毛髪に向けてマイナスイオンを放出するイオン放出部６３，６４を備えており、これらのイオン放出部６３，６４は、イオン放出部６３，６４から放出されるマイナスイオンの放出領域Ｒ外に押さえ板４が位置するように把持部２に設けられている。【選択図】図２
2007260059.tif 000002
【特許請求の範囲】
【請求項１】
柱状の把持部と、前記把持部の一端に連設されて発熱可能な周面部を含む略円柱状の巻付胴部と、前記把持部に設けられて前記巻付胴部の周面部に対して接離する押さえ板とを備え、前記巻付胴部の周面部と前記押さえ板とにより毛髪を挟持して前記毛髪に所定の癖付けを行うヘアーアイロンであって、
前記毛髪に向けてマイナスイオンを放出するイオン放出部をさらに備え、
前記イオン放出部は、前記イオン放出部から放出されるマイナスイオンの放出領域外に前記押さえ板が位置するように前記把持部および前記巻付胴部の少なくとも一方に設けられていることを特徴とするヘアーアイロン。
【請求項２】
前記押さえ板は、前記周面部の前記巻付胴部の軸心より上方の所定領域に対して接離し、
前記イオン放出部は、前記把持部の前記巻付胴部の軸心より下方に設けられていることを特徴とする請求項１に記載のヘアーアイロン。
【請求項３】
前記イオン放出部は、前記把持部の前記巻付胴部の軸心を含む鉛直面を基準とする対称位置に各々設けられており、
前記イオン放出部の下端部が前記把持部の下端部より下方に位置していることを特徴とする請求項２に記載のヘアーアイロン。
【請求項４】
前記把持部は、略六角柱形状を有しており、
前記イオン放出部は、前記把持部の下端に位置する所定の面に隣り合う２つの面に各々設けられていることを特徴とする請求項３に記載のヘアーアイロン。
【発明の詳細な説明】
【技術分野】
【０００１】
本発明は、毛髪に癖付けを行うヘアーアイロンに関するものである。
【背景技術】
【０００２】
従来、毛髪に所定の癖付けを行うヘアーアイロンが知られている。この従来のヘアーアイロンは、略円柱状の把持部の一端に連設されて発熱可能な周面部を含む円柱状の巻付胴部と、把持部に設けられて巻付胴部の周面部に対して接離する押さえ板とを備えており、巻付胴部の周面部と押さえ板とにより毛髪を挟持して毛髪に所定の癖付けを行うように構成されている。
【０００３】
また、従来、上記巻付胴部の周面部と押さえ板とに挟持された毛髪に向けてマイナスイオンを放出するマイナスイオン発生部を備えたヘアーアイロンも知られている。例えば、特許文献１には、把持部の巻付胴部の軸心を通る水平位置に一対のマイナスイオン発生部を対向して配設し、巻付胴部の周面部と押さえ板との挟持部位を含む所定領域に向けてマイナスイオンを放出することにより、毛髪全体にマイナスイオンを付着させるように構成されたヘアーアイロンが開示されている。
【特許文献１】特開２００５−１９８９８４号公報
【発明の開示】
【発明が解決しようとする課題】
【０００４】
上記特許文献１に開示されたヘアーアイロンにおいて、マイナスイオン発生部から放出されるマイナスイオンが押さえ板に付着するのを抑制して、毛髪にマイナスイオンを効率良く付着させたいという要望がある。
【０００５】
この発明は、上記のような要望に応えるためになされたものであり、毛髪にマイナスイオンを効率良く付着させることが可能なヘアーアイロンを提供することを目的とする。
【課題を解決するための手段】
【０００６】
上記目的を達成するために、本発明のヘアーアイロンは、柱状の把持部と、前記把持部の一端に連設されて発熱可能な周面部を含む略円柱状の巻付胴部と、前記把持部に設けられて前記巻付胴部の周面部に対して接離する押さえ板とを備え、前記巻付胴部の周面部と前記押さえ板とにより毛髪を挟持して前記毛髪に所定の癖付けを行うヘアーアイロンであって、前記毛髪に向けてマイナスイオンを放出するイオン放出部をさらに備え、前記イオン放出部は、前記イオン放出部から放出されるマイナスイオンの放出領域外に前記押さえ板が位置するように前記把持部および前記巻付胴部の少なくとも一方に設けられていることを特徴とする。
【０００７】
マイナスイオンが押さえ板に付着するのを十分に抑制するために、前記押さえ板は、前記周面部の前記巻付胴部の軸心より上方の所定領域に対して接離し、前記イオン放出部は、前記把持部の前記巻付胴部の軸心より下方に設けられていることが好ましい。
【０００８】
ヘアーアイロンを台上に安定して載置するために、前記イオン放出部は、前記把持部の前記巻付胴部の軸心を含む鉛直面を基準とする対称位置に各々設けられており、前記イオン放出部の下端部が前記把持部の下端部より下方に位置していることが好ましい。
【０００９】
ヘアーアイロンの操作性を向上させるために、前記把持部は、略六角柱形状を有しており、前記イオン放出部は、前記把持部の下端に位置する所定の面に隣り合う２つの面に各々設けられていることが好ましい。
【発明の効果】
【００１０】
本発明のヘアーアイロンによれば、イオン放出部から放出されるマイナスイオンの放出領域外に押さえ板が位置するようにイオン放出部を把持部および巻付胴部の少なくとも一方に設けることによって、イオン放出部から放出されるマイナスイオンが押さえ板に付着するのを抑制することができるので、巻付胴部の周面部と押さえ板とに挟持される毛髪にマイナスイオンを効率良く付着させることができる。
【発明を実施するための最良の形態】
【００１１】
以下、本発明の実施形態を図面に基づいて説明する。
【００１２】
図１〜図４は、本発明の一実施形態によるヘアーアイロンの全体構成を示した図であり、図５および図６は、図１に示したヘアーアイロンの断面図である。また、図７は、図２に示したヘアーアイロンを台上に載置した状態を示した側面図である。まず、図１〜図６を参照して、本発明の一実施形態によるヘアーアイロン１の全体構成について説明する。なお、図中において、＋Ｘ方向をヘアーアイロン１の先端方向とし、−Ｘ方向をヘアーアイロン１の基端方向とし、＋Ｙ方向をヘアーアイロン１の左方向とし、−Ｙ方向をヘアーアイロン１の右方向とする。
【００１３】
本実施形態のヘアーアイロン１は、図１および図２に示すように、使用者に把持される把持部２と、毛髪を巻き付けるための円柱状の巻付胴部３と、巻付胴部３とともに毛髪を挟持する押さえ板４とを備えており、巻付胴部３と押さえ板４とにより毛髪を挟持しその毛髪にカール状の癖付けを行うように構成されている。
【００１４】
把持部２は、図２および図４に示すように、把持部２の上部を構成する上部半筒体５と、把持部２の下部を構成する下部半筒体６とを含んでいる。
【００１５】
上部半筒体５は、上端部に設けられた第１平坦部５１と、先端部位に設けられて押さえ板４を巻付胴部３に対して接離可能に支持する軸部５３（図５参照）とを有している。第１平坦部５１には、図略の開口が形成されており、その開口を介してスイッチ部５２が上方に突出している。このスイッチ部５２は、後述のヒータ３２およびイオン放出部６３，６４に対する通電状態の切替えを行うために設けられている。
【００１６】
下部半筒体６は、図３および図６に示すように、下部の左右両側方に各々設けられた第２平坦部６１および第３平坦部６２と、第２平坦部６１および第３平坦部６２の先端方向の適所に各々設けられたイオン放出部６３および６４とを有している。
【００１７】
このように構成された把持部２は、図６に示すように、扁平面と円弧面とを交互に配して構成された外周面を有する略六角柱状に形成されており、把持部２の下端に位置する円弧面に隣り合う２つの扁平面にイオン放出部６３，６４が各々設けられるとともに、上記円弧面に対向する上端の扁平面にスイッチ部５２が設けられている。
【００１８】
巻付胴部３は、把持部２の先端に連設されており、図５に示すように、毛髪を巻き付けるための周面部３１と、周面部３１の内側に配設された熱源としてのヒータ３２とを含んでいる。周面部３１は、高い伝熱性を有する金属製のパイプ材等からなり、ヒータ３２に隣接して配設されることで高温状態となるように構成されている。
【００１９】
また、巻付胴部３には、図略の温度センサが内装されており、スイッチ部５２の切替え操作によってこの温度センサの信号が制御されて巻付胴部３の周面部３１の温度の切替えを行うことが可能なようになっている。また、巻付胴部３の先端には、巻付胴部３よりも大径のキャップ部材７が取り付けられている。
【００２０】
押さえ板４は、巻付胴部３の周面部３１に対して接離する接離部４１と、接離部４１の基端部位から基端方向に延設されて把持部２の軸部５３に軸支される操作部４２とを含んでいる。
【００２１】
接離部４１は、巻付胴部３の周面部３１に沿うように円弧状断面のヘラ板形状に形成されており、図２に示すように、周面部３１の巻付胴部３の軸心Ｌより上方の所定領域に対して接離するように構成されている。
【００２２】
操作部４２は、接離部４１を巻付胴部３に対して接離させるために設けられている。この操作部４２は、図５に示すように、軸部５３に取り付けられたねじりコイルバネ８により把持部２から離間する方向に常時付勢されている。したがって、操作部４２に外力が作用していない状態では、接離部４１が周面部３１に押圧接触するようになっており、操作部４２をねじりコイルバネ８の付勢力に抗しながら把持部２に近接する方向に回動させることによって、接離部４１が周面部３１から離間するようになっている。
【００２３】
次に、上記イオン放出部６３，６４の構成について詳細に説明する。
【００２４】
イオン放出部６３，６４は、毛髪に向けてマイナスイオンを放出可能なように構成されており、本実施形態では、図２に示すように、イオン放出部６４（６３）から放出されるマイナスイオンの放出領域Ｒ外に押さえ板４が位置するようになっている。
【００２５】
詳しくは、イオン放出部６３，６４は、図２〜図４に示すように、把持部２の巻付胴部３の軸心Ｌより下方で、かつ、軸心Ｌを含む鉛直面を基準とする対称位置に各々突設されており、押さえ板４とイオン放出部６３，６４との間に巻付胴部３が配されるような構成となっている。
【００２６】
イオン放出部６３（６４）は、図４に示すように、マイナスイオンを発生させるイオン発生部６３ａ（６４ａ）と、イオン発生部６３ａ（６４ａ）を覆うカバー部６３ｂ（６４ｂ）とを有している。また、カバー部６３ｂ（６４ｂ）は、先端部位に設けられてイオン発生部６３ａ（６４ａ）で発生したマイナスイオンを先端方向に放出させるイオン放出口６３ｃ（６４ｃ）を有している。
【００２７】
イオン発生部６３ａ（６４ａ）は、図略のグランド電極および針電極と、それらの電極に電気的に接続される高電圧発生回路６５（図５参照）とにより構成されている。このイオン発生部６３ａ（６４ａ）は、グランド電極を基準とする高電圧を針電極に印加して針電極においてコロナ放電が行われることにより多量のマイナスイオンを生成するようになっている。
【００２８】
そして、本実施形態のイオン放出部６３（６４）では、コロナ放電が行われる針電極よりもイオン放出口６３ｃ（６４ｃ）側にグランド電極が配置されているため、針電極からグランド電極に向かうイオン流が発生し、このイオン流によってイオン放出口６３ｃ（６４ｃ）から先端方向にマイナスイオンが放出されるようになっている。なお、イオン放出部６３（６４）にファンを内蔵し、このファンの風力によってイオン放出口６３ｃ（６４ｃ）からマイナスイオンを放出させてもよい。
【００２９】
また、イオン放出口６３ｃ（６４ｃ）は、図３および図４に示すように、その放出方向が先端方向から把持部２の径外方向に傾斜した状態で把持部２の径外方向に突出して設けられており、イオン放出口６３ｃ（６４ｃ）から放出されるマイナスイオンの大部分を毛髪に付着させるように構成されている。
【００３０】
上記のようにイオン放出部６３（６４）を構成することによって、イオン放出口６３ｃ（６４ｃ）から放出されるマイナスイオンの放出領域Ｒの上端縁を、押さえ板４の先端下部の直下に近接させて配することが可能であり、容易に、マイナスイオンの放出領域Ｒ外に押さえ板４を位置させることが可能となっている。
【００３１】
また、本実施形態では、カバー部６３ｂ（６４ｂ）の下端部（図４のＭライン参照）が、把持部２の下部半筒体６の下端部（図４のＮライン参照）よりも下方に位置するように構成されている。これにより、図７に示すように、ヘアーアイロン１を台１００上に載置した場合に、イオン放出部６３および６４を台１００の上面に接触させることができるので、ヘアーアイロン１を安定して台１００上に載置することができる。
【００３２】
また、把持部２の基端部には、ヒータ３２およびイオン放出部６３，６４に電力を供給するための電源コード９が接続されている。
【００３３】
本実施形態では、上記のように、イオン放出部６３，６４から放出されるマイナスイオンの放出領域Ｒ外に押さえ板４が位置するようにイオン放出部６３，６４を把持部２に設けることによって、イオン放出部６３，６４から放出されるマイナスイオンが押さえ板４に付着して押さえ板４がマイナスに帯電するのを抑制することができるので、押さえ板４の近傍に放出されたマイナスイオンが押さえ板４と反発しあって遠方に弾き飛ばされるといった不都合の発生を抑制することができる。これにより、巻付胴部３の周面部３１と押さえ板４とに挟持される毛髪にマイナスイオンを効率良く付着させることができる。
【００３４】
また、本実施形態では、上記のように、押さえ板４を、周面部３１の巻付胴部３の軸心Ｌより上方の所定領域に対して接離させ、イオン放出部６３，６４を、把持部２の巻付胴部３の軸心Ｌより下方に設けることによって、押さえ板４とイオン放出部６３，６４との間に巻付胴部３を位置させることができるので、イオン放出部６３，６４から放出されたマイナスイオンが押さえ板４に付着するのを十分に抑制することができる。
【００３５】
また、本実施形態では、上記のように、イオン放出部６３，６４を、イオン放出部６３，６４の下端部が把持部２の下端部よりも下方に位置するように、把持部２の巻付胴部３の軸心Ｌを含む鉛直面を基準とする対称位置に各々設けることによって、例えばヘアーアイロン１を台１００上に載置する場合に、把持部２の基端部位と一対のイオン放出部６３，６４とを台１００の上面に接触させることができるので、ヘアーアイロン１を安定して台１００上に載置することができる。
【００３６】
また、本実施形態では、上記のように、把持部２を略六角柱形状に形成することによって、ヘアーアイロン１の使用者が把持部２に力を伝達し易くなるので、ヘアーアイロン１の操作性を向上させることができる。
【００３７】
なお、上記実施形態では、把持部２に２つのイオン放出部６３，６４を設ける例について示したが、これに限らず、把持部２に１つあるいは３つ以上のイオン放出部を設けてもよい。
【００３８】
また、上記実施形態では、把持部２の先端部位にイオン放出部６３（６４）を設ける例について示したが、これに限らず、イオン放出部６３（６４）を、巻付胴部３の基端部位に設けてもよい。また、イオン放出部６３（６４）を、巻付胴部３の先端部位（巻付胴部３とキャップ部材７との間の部位）に配設し、イオン放出口６３ｃ（６４ｃ）が基端方向を向くように構成してもよい。また、イオン放出部６３（６４）を、把持部２の先端部位と巻付胴部３の先端部位とに併設してもよい。この場合、巻付胴部３の周面部３１と押さえ板４とに挟持された毛髪に、巻付胴部３の先端方向および基端方向の両側からマイナスイオンを付着させることができるので、毛髪全体により効率良くマイナスイオンを付着させることができる。
【００３９】
また、図８に示すように、把持部２の下部半筒体６の基端部位とイオン放出部６３，６４とに下方に突出する３つの支持部１０を設けてもよい。このように構成すれば、図９に示すように、３つの支持部１０を台１００の上面に接触させた状態でヘアーアイロン１を台１００上に安定して載置することができる。
【００４０】
また、ヘアーアイロン１の重心が先端寄りに位置している場合には、図１０に示すように、把持部２のイオン放出部６３，６４に下方に突出する支持部１０を設けるとともに、キャップ部材７の下端に１つの支持部１０を設ければよい。この場合にも、図１１に示すように、３つの支持部１０を台１００の上面に接触させた状態でヘアーアイロン１を台１００上に安定して載置することができる。
【図面の簡単な説明】
【００４１】
【図１】本発明の一実施形態によるヘアーアイロンの全体構成を示した平面図である。
【図２】図１に示したヘアーアイロンの右側面図である。
【図３】図１に示したヘアーアイロンの下面図である。
【図４】図２に示したヘアーアイロンのＡ方向矢視図である。
【図５】図１中のＶ−Ｖ線に沿った断面図である。
【図６】図１中のＶＩ−ＶＩ線に沿った断面図である。
【図７】図２に示したヘアーアイロンを台上に載置した状態を示した側面図である。
【図８】本発明の変形例１によるヘアーアイロンを示した下面図である。
【図９】図８に示した変形例１によるヘアーアイロンを台上に載置した状態を示した側面図である。
【図１０】本発明の変形例２によるヘアーアイロンを示した下面図である。
【図１１】図１０に示した変形例２によるヘアーアイロンを台上に載置した状態を示した側面図である。
【符号の説明】
【００４２】
１  ヘアーアイロン
２  把持部
３  巻付胴部
４  押さえ板
３１  周面部
６３，６４  イオン放出部
Ｒ  放出領域
Ｌ  軸心
【図１】
2007260059.tif 000003
【図２】
2007260059.tif 000004
【図３】
2007260059.tif 000005
【図４】
2007260059.tif 000006
【図５】
2007260059.tif 000007
【図６】
2007260059.tif 000008
【図７】
2007260059.tif 000009
【図８】
2007260059.tif 000010
【図９】
2007260059.tif 000011
【図１０】
2007260059.tif 000012
【図１１】
2007260059.tif 000013